【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
感光体と、前記感光体を帯電する帯電手段と、光を照射し前記帯電された感光体に静電潜像を形成する光照射手段と、前記静電潜像にトナーを付着させトナー像を可視化する現像手段と、を複数色の夫々に対応して備える画像形成装置であって、
前記感光体の積算回転数の情報を前記複数色に対応した複数の感光体の夫々について取得する取得手段と、
帯電後の感光体のトナーを付着するトナー像部となる箇所には通常発光を前記複数の光照射手段に行わせ、前記帯電後の感光体のトナーを付着させない背景部の箇所には微少発光を前記複数の光照射手段に行わせる制御手段と、を備え、
前記制御手段は、前記取得手段により取得された前記情報に基づき、前記複数の光照射手段の微少発光の光量を変更することを特徴とする画像形成装置。
【請求項２】
前記制御手段は、前記取得手段により取得された前記情報に基づき、前記複数の光照射手段の通常発光の光量を変更することを特徴とする請求項１に記載の画像形成装置。
【請求項３】
前記微少発光の光量を変更する制御は、レーザ発光時間を決めるパルス幅の補正、或いはレーザ発光輝度の補正によるものであることを特徴とした請求項１又は２に記載の画像形成装置。
【請求項４】
前記通常発光の光量を変更する制御は、レーザ発光輝度の補正によるものであることを特徴とする請求項２に記載の画像形成装置。
【請求項５】
前記制御手段は、前記帯電後の感光体におけるトナー像を可視化させる箇所には前記微少発光の光量に対し更に外部から入力された画像データに基づく光量を加えた通常発光を前記複数の光照射手段に行わせることを特徴とする請求項１又は２に記載の画像形成装置。
【請求項６】
前記複数色に対応した複数の帯電手段、及び又は、前記複数色に対応した複数の現像手段には、電源からの電源電圧、或いは前記電源電圧をコンバータにより変換した変換電圧を、固定の電圧降下特性を持った電子素子により分圧及び又は降圧した電圧が入力されることを特徴とする請求項１乃至５の何れか１項に記載の画像形成装置。
【請求項７】
一の電源を備え、
前記一の電源から出力される電源電圧、前記電源電圧をコンバータにより変換した変換電圧、或いは前記電源電圧又は前記変換電圧を固定の電圧降下特性を持った素子により分圧及び又は降圧した電圧が前記複数の帯電手段に入力され、且つ前記電源電圧をコンバータにより変換した変換電圧、或いは前記電源電圧又は前記変換電圧を固定の電圧降下特性を持った素子により分圧及び又は降圧した電圧が前記複数の現像手段に入力されることを特徴とする請求項１乃至５の何れか１項に記載の画像形成装置。
【請求項８】
第１及び第２の一の電源を備え、
前記第１の一の電源から出力される第１電源電圧、前記第１電源電圧をコンバータにより変換した第１変換電圧、或いは前記第１電源電圧又は前記第１変換電圧を固定の電圧降下特性を持った素子により分圧或いは降圧した第１電圧が前記複数の帯電手段に入力され、且つ前記第２の一の電源から出力される第２電源電圧、前記第２電源電圧をコンバータにより変換した第２変換電圧、或いは前記第２電源電圧又は前記第２変換電圧を固定の電圧降下特性を持った素子により分圧或いは降圧した第２電圧が前記複数の現像手段に入力されることを特徴とする請求項１乃至５の何れか１項に記載の画像形成装置。
【請求項９】
前記複数色の夫々に対応した複数の転写手段を備え、
前記複数の転写手段には、電源からの電源電圧、或いは前記電源電圧をコンバータにより変換した変換電圧を、固定の電圧降下特性を持った電子素子により分圧及び又は降圧した電圧が入力されており、
前記制御手段は、前記転写手段に転写電圧を設定したときに流れる電流に基づき、転写動作中の電圧設定を調整する転写電圧制御を行い、更に、前記転写電圧制御の際に、前記微少発光の光量の変更を行うことを特徴とする請求項１乃至８の何れか１項に記載の画像形成装置。
【請求項１０】
対応した前記感光体の積算回転数が大きくなる程、前記複数の光照射手段の微少発光の光量が大きくなることを特徴とする請求項１乃至９の何れか一項に記載の画像形成装置。
【請求項１１】
前記制御手段は、微小発光を行ったことによる前記感光体の露光量よりも通常発光を行ったことによる前記感光体の露光量の方が大きくなるよう、前記複数の光照射手段を制御することを特徴とする請求項１乃至１０の何れか一項に記載の画像形成装置。
【請求項１２】
感光体と、前記感光体を帯電する帯電手段と、光を照射し前記帯電された感光体に静電潜像を形成する光照射手段と、前記静電潜像にトナーを付着させトナー像を可視化する現像手段と、を備える画像形成装置であって、
前記感光体の積算回転数の情報を取得する取得手段と、
帯電後の感光体のトナーを付着するトナー像部となる箇所には通常発光を前記光照射手段に行わせ、前記帯電後の感光体のトナーを付着させない背景部の箇所には微少発光を前記光照射手段に行わせる制御手段と、を備え、
前記制御手段は、前記取得手段により取得された前記情報に基づき、前記複数の光照射手段の微少発光の光量を変更することを特徴とする画像形成装置。
【請求項１３】
前記制御手段は、前記取得手段により取得された前記情報に基づき、前記光照射手段の通常発光の光量を変更することを特徴とする請求項１２に記載の画像形成装置。
【請求項１４】
前記微少発光の光量を変更する制御は、レーザ発光時間を決めるパルス幅の補正、或いはレーザ発光輝度の補正によるものであることを特徴とした請求項１２又は１３に記載の画像形成装置。
【請求項１５】
前記通常発光の光量を変更する制御は、レーザ発光輝度の補正によるものであることを特徴とする請求項１３に記載の画像形成装置。
【請求項１６】
前記制御手段は、前記帯電後の感光体におけるトナー像を可視化させる箇所には前記微少発光の光量に対し更に外部から入力された画像データに基づく光量を加えた通常発光を前記複数の光照射手段に行わせることを特徴とする請求項１２又は１３に記載の画像形成装置。
【請求項１７】
一の電源を備え、
前記一の電源から出力される電源電圧、前記電源電圧をコンバータにより変換した変換電圧、或いは前記電源電圧又は前記変換電圧を固定の電圧降下特性を持った素子により分圧及び又は降圧した電圧が前記帯電手段に入力され、且つ前記電源電圧をコンバータにより変換した変換電圧、或いは前記電源電圧又は前記変換電圧を固定の電圧降下特性を持った素子により分圧及び又は降圧した電圧が前記現像手段に入力されることを特徴とする請求項１２乃至１６の何れか１項に記載の画像形成装置。
【請求項１８】
前記感光体の積算回転数が大きくなる程、前記光照射手段の微少発光の光量が大きくなることを特徴とする請求項１２乃至１７の何れか一項に記載の画像形成装置。
【請求項１９】
前記制御手段は、微小発光を行ったことによる前記感光体の露光量よりも通常発光を行ったことによる前記感光体の露光量の方が大きくなるよう、前記光照射手段を制御することを特徴とする請求項１２乃至１８の何れか一項に記載の画像形成装置。
【手続補正２】
【補正対象書類名】明細書
【補正対象項目名】０００１
【補正方法】変更
【補正の内容】
【０００１】
本発明は、レーザープリンタ、複写機、ファクシミリ等の電子写真記録方式を利用した画像形成装置に関する。
【手続補正３】
【補正対象書類名】明細書
【補正対象項目名】０００８
【補正方法】変更
【補正の内容】
【０００８】
本発明の画像形成装置は、感光体と、前記感光体を帯電する帯電手段と、光を照射し前記帯電された感光体に静電潜像を形成する光照射手段と、前記静電潜像にトナーを付着させトナー像を可視化する現像手段と、を複数色の夫々に対応して備える画像形成装置であって、前記感光体の積算回転数の情報を前記複数色に対応した複数の感光体の夫々について取得する取得手段と、帯電後の感光体のトナーを付着するトナー像部となる箇所には通常発光を前記複数の光照射手段に行わせ、前記帯電後の感光体のトナーを付着させない背景部の箇所には微少発光を前記複数の光照射手段に行わせる制御手段と、を備え、前記制御手段は、前記取得手段により取得された前記情報に基づき、前記複数の光照射手段の微少発光の光量を変更することを特徴とする。
また、本発明の画像形成装置は、感光体と、前記感光体を帯電する帯電手段と、光を照射し前記帯電された感光体に静電潜像を形成する光照射手段と、前記静電潜像にトナーを付着させトナー像を可視化する現像手段と、を備える画像形成装置であって、前記感光体の積算回転数の情報を取得する取得手段と、帯電後の感光体のトナーを付着するトナー像部となる箇所には通常発光を前記光照射手段に行わせ、前記帯電後の感光体のトナーを付着させない背景部の箇所には微少発光を前記光照射手段に行わせる制御手段と、を備え、前記制御手段は、前記取得手段により取得された前記情報に基づき、前記複数の光照射手段の微少発光の光量を変更することを特徴とする。